(57)【要約】【課題】本体に立て具を脱着自在に嵌合可能である。【解決手段】本体と、立て具とを含み、前記本体は、シート形状を呈し、湾折部を有し、前記湾折部の両側には少なくとも一つの貫通孔がそれぞれ開設してあり、前記立て具には、二つ以上の嵌合具と、支持部とが設けてあり、前記立て具の嵌合具が前記本体の貫通孔に嵌合可能である紙ばさみにおいて、前記本体にある貫通孔は、大貫通孔が小貫通孔と連通するように小貫通孔の周縁に開設されることにより形成され、前記立て具の嵌合具は、互いに連接しているピンと凸縁とを有し、前記立て具の嵌合具に設けられたピンと凸縁とがそれぞれ前記本体の貫通孔にある小貫通孔と大貫通孔とに脱着自在に嵌合可能であることを特徴とする紙ばさみ。【選択図】図２
0003132400.tif 000002
【実用新案登録請求の範囲】
【請求項１】
本体と、立て具とを含み、前記本体は、シート形状を呈し、湾折部を有し、前記湾折部の両側には少なくとも一つの貫通孔がそれぞれ開設してあり、前記立て具には、二つ以上の嵌合具と、支持部とが設けてあり、前記立て具の嵌合具が前記本体の貫通孔に嵌合可能である紙ばさみにおいて、前記本体にある貫通孔は、大貫通孔が小貫通孔と連通するように小貫通孔の周縁に開設されることにより形成され、前記立て具の嵌合具は、互いに連接しているピンと凸縁とを有し、前記立て具の嵌合具に設けられたピンと凸縁とがそれぞれ前記本体の貫通孔にある小貫通孔と大貫通孔とに脱着自在に嵌合可能であることを特徴とする、
紙ばさみ。
【請求項２】
前記本体にある貫通孔は、大貫通孔が小貫通孔と連通するように小貫通孔の縦方向に開設されることにより形成されることを特徴とする、請求項１に記載の紙ばさみ。
【請求項３】
前記本体にある貫通孔は、大貫通孔が小貫通孔と連通するように小貫通孔の横方向に開設されることにより形成されることを特徴とする、請求項１に記載の紙ばさみ。
【請求項４】
本体と、立て具とを含み、前記本体は、シート形状を呈し、湾折部を有し、前記湾折部の両側には少なくとも一つの嵌合具がそれぞれ設けてあり、前記立て具には、二つ以上の貫通孔と、支持部とが設けてあり、前記立て具の貫通孔が前記本体の嵌合具に嵌合可能である紙ばさみにおいて、前記本体にある嵌合具は、互いに連接しているピンと凸縁とを有し、前記立て具にある貫通孔は、大貫通孔が小貫通孔と連通するように小貫通孔の周縁に開設されることにより形成され、前記立て具の貫通孔にある小貫通孔と大貫通孔とが前記本体の嵌合具に設けられたピンと凸縁とに脱着自在に嵌合可能であることを特徴とする、
紙ばさみ。
【請求項５】
前記立て具にある貫通孔は、大貫通孔が小貫通孔と連通するように小貫通孔の縦方向に開設されることにより形成されることを特徴とする、請求項４に記載の紙ばさみ。
【考案の詳細な説明】
【技術分野】
【０００１】
本考案は、紙ばさみに係り、特に、立て具を脱着可能である紙ばさみに関するものである。
【背景技術】
【０００２】
目下、書類の整理には紙ばさみが不可欠な存在であり、なお、紙ばさみの種類は色々あり、例えば台湾特許091200409号に提案された紙ばさみは、図１に示すように、紙ばさみの本体１０には、シート形状を呈する立て具２０を別に固定してあり、前記立て具２０は、一つの円弧形状湾折線Ａと、二つの直線形状湾折線Ｂとを有し、前記円弧形状湾折線Ａが前記二つの直線形状湾折線Ｂ支持部と交錯して支持部２１を形成し、前記円弧形状湾折線Ａと前記直線形状湾折線Ｂとにより支持部２１を展開し、又は折畳むことが可能になり、だから、紙ばさみを立てることが可能であり、紙ばさみ内の資料を読もうとする場合には、手で持たなくても、紙ばさみ内の資料を読むことができる。
【特許文献１】台湾特許091200409号
【考案の開示】
【考案が解決しようとする課題】
【０００３】
本考案の主な目的は、本体に立て具を脱着自在に嵌合可能である紙ばさみを提供することにある。
【課題を解決するための手段】
【０００４】
上記目的を達成するためになされた本願の考案は、本体と、立て具とを含み、前記本体は、シート形状を呈し、湾折部を有し、前記湾折部の両側には少なくとも一つの貫通孔がそれぞれ開設してあり、前記立て具には、二つ以上の嵌合具と、支持部とが設けてあり、前記立て具の嵌合具が前記本体の貫通孔に嵌合可能である紙ばさみにおいて、前記本体にある貫通孔は、大貫通孔が小貫通孔と連通するように小貫通孔の周縁に開設されることにより形成され、前記立て具の嵌合具は、互いに連接しているピンと凸縁とを有し、前記立て具の嵌合具に設けられたピンと凸縁とがそれぞれ前記本体の貫通孔にある小貫通孔と大貫通孔とに脱着自在に嵌合可能であることを特徴とする紙ばさみであることを要旨としている。
【０００５】
本願の考案では、前記本体にある貫通孔は、大貫通孔が小貫通孔と連通するように小貫通孔の縦方向に開設されることにより形成されることを特徴とする請求項１に記載の紙ばさみであることを要旨としている。
【０００６】
本願の考案では、前記本体にある貫通孔は、大貫通孔が小貫通孔と連通するように小貫通孔の横方向に開設されることにより形成されることを特徴とする請求項１に記載の紙ばさみであることを要旨としている。
【０００７】
本願の考案では、本体と、立て具とを含み、前記本体は、シート形状を呈し、湾折部を有し、前記湾折部の両側には少なくとも一つの嵌合具がそれぞれ設けてあり、前記立て具には、二つ以上の貫通孔と、支持部とが設けてあり、前記立て具の貫通孔が前記本体の嵌合具に嵌合可能である紙ばさみにおいて、前記本体にある嵌合具は、互いに連接しているピンと凸縁とを有し、前記立て具にある貫通孔は、大貫通孔が小貫通孔と連通するように小貫通孔の周縁に開設されることにより形成され、前記立て具の貫通孔にある小貫通孔と大貫通孔とが前記本体の嵌合具に設けられたピンと凸縁とに脱着自在に嵌合可能であることを特徴とする紙ばさみであることを要旨としている。
【０００８】
本願の考案では、前記立て具にある貫通孔は、大貫通孔が小貫通孔と連通するように小貫通孔の縦方向に開設されることにより形成されることを特徴とする請求項４に記載の紙ばさみであることを要旨としている。
【考案の効果】
【０００９】
本考案の紙ばさみによれば、本体に立て具を脱着自在に嵌合可能であり、本体を立てようとする場合には、立て具にある支持部により本体を立て可能であり、なお、本体を横たわろうとする場合には、本体から立て具を取り外すだけで、本体を横たわることができる効果を有する。
【考案を実施するための最良の形態】
【００１０】
以下、添付図面を参照して本考案の好適な実施の形態を詳細に説明する。
【００１１】
まず、図２を参照する。本考案の紙ばさみは、本体３０と、立て具４０と、を含む。
【００１２】
前記本体３０は、シート形状を呈し、湾折部３２を有し、前記湾折部３２には書類を収納するための収容ケース３３が若干に設けてあり、且つ前記湾折部３２の両側には二つの貫通孔３１がそれぞれ開設してあり、前記各貫通孔３１は、大貫通孔３１Ａが小貫通孔３１Ｂと連通するように小貫通孔３１Ｂの周縁に開設されることにより形成され、且つ前記大貫通孔３１Ａが小貫通孔３１Ｂの縦方向に開設される。
【００１３】
前記立て具４０には、二つの嵌合具４１と、一つの支持部４２とが設けてあり、前記立て具の嵌合具が前記本体の貫通孔に嵌合可能であり、これにより、前記立て具４０の嵌合具４１は前記本体３０に脱着可能になり、前記立て具４０の各嵌合具４１は、互いに連接しているピン４１Ａと凸縁４１Ｂとを有し、前記立て具４０の嵌合具４１に設けられたピン４１Ａと凸縁４１Ｂとがそれぞれ前記本体３０の貫通孔３１にある小貫通孔３１Ｂと大貫通孔３１Ａとに脱着自在に嵌合可能であり、なお、前記立て具４０の支持部４２は、一つの円弧形状湾折線Ａと、二つの直線形状湾折線Ｂとを有し、前記円弧形状湾折線Ａと前記直線形状湾折線Ｂとにより、前記立て具４０を湾折して前記本体４０を立てることが可能である。
【００１４】
次に、図４Ａと図４Ｂとを参照しながら本体３０と立て具４０との組合方法を詳細に説明する。まず、本体３０の貫通孔３１にある大貫通孔３１Ａに立て具４０の嵌合具４１にある凸縁４１Ｂを貫入して、図５と図６Ａと図６Ｂに示すように、立て具４０を縦方向に移動することにより、立て具４０の嵌合具４１にあるピン４１Ａが本体３０の貫通孔３１にある小貫通孔３１Ｂに移動され、そしてピン４１Ａを小貫通孔３１Ｂに係合すると、本体３０と立て具４０との組合作業が完成した。
【００１５】
上記説明から明らかなように、本考案の紙ばさみの本体３０にある貫通孔３１と、立て具４０の嵌合具４１とにより、本体３０に立て具４０を脱着自在に嵌合することができる。
【００１６】
また、前記本体３０にある貫通孔３１は、図７に示すように、大貫通孔３１Ａが小貫通孔３１Ｂと連通するように小貫通孔３１Ｂの横方向に開設されてもよく、だから、立て具４０を脱着しようとする場合には、立て具４０を横方向に移動すればいい。
【００１７】
また、図８に示すように、本体３０に嵌合具を設け、且つ立て具４０に貫通孔を開設しても、本体３０に立て具４０を脱着自在に嵌合する目的を達成することもできる。
【００１８】
なお、上記の実施例では、本体３０にある貫通孔３１と、立て具４０にある嵌合具４１との数量は、２個あることに限定されなく、３個以上あっても、本体３０に立て具４０を脱着自在に嵌合する目的を達成することができるので、これらは全て本考案の実用新案登録請求の範囲に属する。
【図面の簡単な説明】
【００１９】
【図１】従来の紙ばさみの斜視図である。
【図２】本考案の実施例の分解斜視図である。
【図３】本考案の嵌合具を貫通孔に貫入した状態の斜視図である。
【図４Ａ】本考案の嵌合具を貫通孔に貫入した状態の一部の拡大平面図である。
【図４Ｂ】本考案の嵌合具を貫通孔に貫入した状態の一部の拡大側面図である。
【図５】本考案の嵌合具を貫通孔に係止した状態の斜視図である。
【図６Ａ】本考案の嵌合具を貫通孔に係止した状態の一部の拡大平面図である。
【図６Ｂ】本考案の嵌合具を貫通孔に係止した状態の一部の拡大側面図である。
【図７】本考案の大貫通孔が小貫通孔と連通するように小貫通孔の横に開設された状態を示す概略図である。
【図８】本考案の本体に嵌合具が設けてあり、本考案の立て具に貫通孔が開設してある状態を示す概略図である。
【符号の説明】
【００２０】
１０      本体
２０      立て具
２１      支持部
Ａ        円弧形状湾折線
Ｂ        直線形状湾折線
３０      本体
３１      貫通孔
３１Ａ    大貫通孔
３１Ｂ    小貫通孔
３２      湾折部
３３      収容ケース
４０      立て具
４１      嵌合具
４１Ａ    ピン
４１Ｂ    凸縁
４２      支持部
【図１】
0003132400.tif 000003
【図２】
0003132400.tif 000004
【図３】
0003132400.tif 000005
【図４Ａ】
0003132400.tif 000006
【図４Ｂ】
0003132400.tif 000007
【図５】
0003132400.tif 000008
【図６Ａ】
0003132400.tif 000009
【図６Ｂ】
0003132400.tif 000010
【図７】
0003132400.tif 000011
【図８】
0003132400.tif 000012